(57)【要約】【課題】表示装置や画像形成装置等の複数の出力対象に対し画像が出力された場合に、出力対象の違いによる画像の見えの違いや色補正の効果等をわかりやすくユーザに対し提示することができる画像処理装置等を提供できる。【解決手段】画像を出力する複数の出力対象のそれぞれに対し、出力対象に対応した色補正を行なうための変換関係（プロファイル）を取得する変換関係取得部１１０と、複数の出力対象のそれぞれに対し、変換関係（プロファイル）を用いた色補正を行なうか否かの選択情報を取得する選択情報取得部１２０と、選択情報取得部１２０から取得した選択情報に基づき、色補正を行なう前または後の画像を表す画像データを表示装置に送信する画像データ送信部１４０と、を備える画像処理装置。【選択図】図５
2018074339.tif 000002
【特許請求の範囲】
【請求項１】
画像を出力する複数の出力対象のそれぞれに対し、当該出力対象に対応した色補正を行なうための変換関係を取得する変換関係取得部と、
前記複数の出力対象のそれぞれに対し、前記変換関係を用いた色補正を行なうか否かの選択情報を取得する選択情報取得部と、
前記選択情報取得部から取得した選択情報に基づき、色補正を行なう前または後の画像を表す画像データを表示装置に送信する画像データ送信部と、
を備える画像処理装置。
【請求項２】
前記複数の出力対象は、表示装置および画像形成装置を含むことを特徴とする請求項１に記載の画像処理装置。
【請求項３】
前記表示装置に対し色補正を行なう場合、色補正を行なう前の画像を表す画像データは、当該表示装置に対し使用される変換関係を適用しないものであり、色補正を行なった後の画像を表す画像データは、当該表示装置に対し使用される変換関係を適用したものであることを特徴とする請求項２に記載の画像処理装置。
【請求項４】
前記画像形成装置に対し色補正を行なう場合、色補正を行なう前の画像を表す画像データは、当該画像形成装置に対し使用される変換関係を適用したものであり、色補正を行なった後の画像を表す画像データは、当該画像形成装置に対し使用される変換関係を適用しないものであることを特徴とする請求項２に記載の画像処理装置。
【請求項５】
前記画像形成装置で使用する記録媒体の特性をさらに含めて色補正を行なうことを特徴とする請求項２に記載の画像処理装置。
【請求項６】
前記変換関係取得部は、照明環境について色補正をするための変換関係をさらに取得し、
前記選択情報取得部は、照明環境について色補正を行なうか否かの選択情報をさらに取得することを特徴とする請求項１乃至５の何れか１項に記載の画像処理装置。
【請求項７】
照明環境について色補正を行なう場合、照明環境の色補正を行なう前の画像を表す画像データは、照明環境に対し使用される変換関係を適用したものであり、照明環境の色補正を行なった後の画像を表す画像データは、照明環境に対し使用される変換関係を適用しないものであることを特徴とする請求項６に記載の画像処理装置。
【請求項８】
前記画像データ送信部は、色補正を行なう前または後の画像を表す画像データの他に、色補正を行なう前および後の中間の画像を表す画像データを表示装置に送信することを特徴とする請求項１乃至７の何れか１項に記載の画像処理装置。
【請求項９】
画像を出力する複数の出力対象のそれぞれに対し色補正を行なうか否かの選択情報に基づき、当該出力対象に対応した色補正を行なう前または後の画像を表す画像データを取得する画像データ取得部と、
取得した画像データに基づき、色補正を行なう前または後の画像を表示する表示部と、
を備える表示装置。
【請求項１０】
前記表示部は、複数の出力対象のそれぞれについて、色補正を行なう前または後の画像を並べて表示することを特徴とする請求項９に記載の表示装置。
【請求項１１】
前記表示部は、複数の出力対象のそれぞれについて、色補正を行なう前または後の画像を切り換えて表示することを特徴とする請求項９に記載の表示装置。
【請求項１２】
前記表示部は、前記選択情報に基づき色補正の程度を表す画像を表示することを特徴とする請求項９乃至１１の何れか１項に記載の表示装置。
【請求項１３】
画像を出力する複数の出力対象のそれぞれに対し、当該出力対象に対応した色補正を行なうための変換関係を取得する変換関係取得工程と、
前記複数の出力対象のそれぞれに対し、前記変換関係を用いた色補正を行なうか否かの選択情報を取得する選択情報取得工程と、
前記選択情報取得工程で取得した選択情報に基づき、色補正を行なう前または後の画像を表す画像データを表示装置に送信する画像データ送信工程と、
を備える画像処理方法。
【請求項１４】
画像を出力する複数の出力対象のそれぞれに対し色補正を行なうか否かの選択情報に基づき、当該出力対象に対応した色補正を行なう前または後の画像を表す画像データを作成する画像処理装置と、
前記画像処理装置により作成された画像データに基づき、複数の出力対象のそれぞれについて、色補正を行なう前または後の画像を表示する表示装置と、
を備え、
前記画像処理装置は、
前記複数の出力対象のそれぞれに対し、色補正を行なうための変換関係を取得する変換関係取得部と、
前記複数の出力対象のそれぞれに対し、前記変換関係を用いた色補正を行なうか否かの選択情報を取得する選択情報取得部と、
前記選択情報取得部から取得した選択情報に基づき、色補正を行なう前または後の画像を表す画像データを表示装置に送信する画像データ送信部と、
を備える画像処理システム。
【請求項１５】
コンピュータに、
画像を出力する複数の出力対象のそれぞれに対し、当該出力対象に対応した色補正を行なうための変換関係を取得する変換関係取得機能と、
前記複数の出力対象のそれぞれに対し、前記変換関係を用いた色補正を行なうか否かの選択情報を取得する選択情報取得機能と、
前記選択情報取得機能から取得した選択情報に基づき、色補正を行なう前または後の画像を表す画像データを表示装置に送信する画像データ送信機能と、
を実現させるためのプログラム。
【発明の詳細な説明】
【技術分野】
【０００１】
本発明は、画像処理装置、表示装置、画像処理方法、画像処理システム、プログラムに関する。
【背景技術】
【０００２】
例えば、液晶ディスプレイ等の表示装置と画像を紙等の記録媒体に印刷する画像形成装置とでは、色域が異なるため画像の見えの違いが生ずる。この見えの違いを補正し、見えを同じとするため、従来よりGamut Mapping等の色補正技術が存在する。
【０００３】
特許文献１には、輝度Ｙを明度Ｌに変換する輝度−明度変換手段と、明度Ｌを線形変換により新たな明度Ｌ’に変換する明度変換手段と、明度Ｌ’を輝度Ｙ’に変換する明度−輝度変換手段と、三刺激値ＸＹＺからカラーディスプレイ発光制御信号ＲＧＢを算出するカラーディスプレイ発光制御信号算出手段と、カラーディスプレイ発光制御信号ＲＧＢから三刺激値ＸＹＺを算出する三刺激値算出手段を具備し、カラー反射原稿とカラーディスプレイ上に表示されたカラー原稿を目視観察し、両者の色の見えが一致するように前述の明度変換手段における変換係数を決定する相互変換システムが記載されている。
また特許文献２には、印刷物の所定色の色パッチの分光反射率ρ（λ）と、複数の照明の分光分布Ｐ（λ）とを演算して、演算測色値を得るとともに、観察照明環境下に配置された色パッチを測色して測定測色値を得え、複数の照明中、演算測色値と測定測色値との間の誤差量が最小となる照明を選出し、選出された照明の分光分布を用いて印刷プロファイルを作成することが記載されている。
【先行技術文献】
【特許文献】
【０００４】
【特許文献１】特開平８−２９２７３５号公報
【特許文献２】特開２０１０−８１３２７号公報
【発明の概要】
【発明が解決しようとする課題】
【０００５】
しかしながらこのような色補正技術は、その技術内容や技術用語が難解であり、ユーザがその意義や必要性を理解することは一般的に困難である。また実際に色補正後の画像を表示装置および画形成装置等に出力して確認することもできるが、例えば、確認したい画像形成装置が離れた場所にある場合などは、印刷した記録媒体の送付を行なう必要が生じ、送付料金や時間を要するという問題がある。
本発明は、表示装置や画像形成装置等の複数の出力対象に対し画像が出力された場合に、出力対象の違いによる画像の見えの違いや色補正の効果等をわかりやすくユーザに対し提示することができる画像処理装置等を提供することを目的とする。
【課題を解決するための手段】
【０００６】
請求項１に記載の発明は、画像を出力する複数の出力対象のそれぞれに対し、当該出力対象に対応した色補正を行なうための変換関係を取得する変換関係取得部と、前記複数の出力対象のそれぞれに対し、前記変換関係を用いた色補正を行なうか否かの選択情報を取得する選択情報取得部と、前記選択情報取得部から取得した選択情報に基づき、色補正を行なう前または後の画像を表す画像データを表示装置に送信する画像データ送信部と、を備える画像処理装置である。
請求項２に記載の発明は、前記複数の出力対象は、表示装置および画像形成装置を含むことを特徴とする請求項１に記載の画像処理装置である。
請求項３に記載の発明は、前記表示装置に対し色補正を行なう場合、色補正を行なう前の画像を表す画像データは、当該表示装置に対し使用される変換関係を適用しないものであり、色補正を行なった後の画像を表す画像データは、当該表示装置に対し使用される変換関係を適用したものであることを特徴とする請求項２に記載の画像処理装置である。
請求項４に記載の発明は、前記画像形成装置に対し色補正を行なう場合、色補正を行なう前の画像を表す画像データは、当該画像形成装置に対し使用される変換関係を適用したものであり、色補正を行なった後の画像を表す画像データは、当該画像形成装置に対し使用される変換関係を適用しないものであることを特徴とする請求項２に記載の画像処理装置である。
請求項５に記載の発明は、前記画像形成装置で使用する記録媒体の特性をさらに含めて色補正を行なうことを特徴とする請求項２に記載の画像処理装置である。
請求項６に記載の発明は、前記変換関係取得部は、照明環境について色補正をするための変換関係をさらに取得し、前記選択情報取得部は、照明環境について色補正を行なうか否かの選択情報をさらに取得することを特徴とする請求項１乃至５の何れか１項に記載の画像処理装置である。
請求項７に記載の発明は、照明環境について色補正を行なう場合、照明環境の色補正を行なう前の画像を表す画像データは、照明環境に対し使用される変換関係を適用したものであり、照明環境の色補正を行なった後の画像を表す画像データは、照明環境に対し使用される変換関係を適用しないものであることを特徴とする請求項６に記載の画像処理装置である。
請求項８に記載の発明は、前記画像データ送信部は、色補正を行なう前または後の画像を表す画像データの他に、色補正を行なう前および後の中間の画像を表す画像データを表示装置に送信することを特徴とする請求項１乃至７の何れか１項に記載の画像処理装置である。
請求項９に記載の発明は、画像を出力する複数の出力対象のそれぞれに対し色補正を行なうか否かの選択情報に基づき、当該出力対象に対応した色補正を行なう前または後の画像を表す画像データを取得する画像データ取得部と、取得した画像データに基づき、色補正を行なう前または後の画像を表示する表示部と、を備える表示装置である。
請求項１０に記載の発明は、前記表示部は、複数の出力対象のそれぞれについて、色補正を行なう前または後の画像を並べて表示することを特徴とする請求項９に記載の表示装置である。
請求項１１に記載の発明は、前記表示部は、複数の出力対象のそれぞれについて、色補正を行なう前または後の画像を切り換えて表示することを特徴とする請求項９に記載の表示装置である。
請求項１２に記載の発明は、前記表示部は、前記選択情報に基づき色補正の程度を表す画像を表示することを特徴とする請求項９乃至１１の何れか１項に記載の表示装置である。
請求項１３に記載の発明は、画像を出力する複数の出力対象のそれぞれに対し、当該出力対象に対応した色補正を行なうための変換関係を取得する変換関係取得工程と、前記複数の出力対象のそれぞれに対し、前記変換関係を用いた色補正を行なうか否かの選択情報を取得する選択情報取得工程と、前記選択情報取得工程で取得した選択情報に基づき、色補正を行なう前または後の画像を表す画像データを表示装置に送信する画像データ送信工程と、を備える画像処理方法である。
請求項１４に記載の発明は、画像を出力する複数の出力対象のそれぞれに対し色補正を行なうか否かの選択情報に基づき、当該出力対象に対応した色補正を行なう前または後の画像を表す画像データを作成する画像処理装置と、前記画像処理装置により作成された画像データに基づき、複数の出力対象のそれぞれについて、色補正を行なう前または後の画像を表示する表示装置と、を備え、前記画像処理装置は、前記複数の出力対象のそれぞれに対し、色補正を行なうための変換関係を取得する変換関係取得部と、前記複数の出力対象のそれぞれに対し、前記変換関係を用いた色補正を行なうか否かの選択情報を取得する選択情報取得部と、前記選択情報取得部から取得した選択情報に基づき、色補正を行なう前または後の画像を表す画像データを表示装置に送信する画像データ送信部と、を備える画像処理システムである。
請求項１５に記載の発明は、コンピュータに、画像を出力する複数の出力対象のそれぞれに対し、当該出力対象に対応した色補正を行なうための変換関係を取得する変換関係取得機能と、前記複数の出力対象のそれぞれに対し、前記変換関係を用いた色補正を行なうか否かの選択情報を取得する選択情報取得機能と、前記選択情報取得機能から取得した選択情報に基づき、色補正を行なう前または後の画像を表す画像データを表示装置に送信する画像データ送信機能と、を実現させるためのプログラムである。
【発明の効果】
【０００７】
請求項１の発明によれば、表示装置や画像形成装置等の複数の出力対象に対し画像が出力された場合に、出力対象の違いによる画像の見えの違いや色補正の効果等をわかりやすくユーザに対し提示することができる画像処理装置を提供することができる。
請求項２の発明によれば、画像の見えの違いが特に問題になる出力対象に対し画像の見えの違いや色補正の効果等をわかりやすくユーザに対し提示することができる。
請求項３の発明によれば、変換関係を使用することで表示装置で色補正を行なった後の画像を再現することができる。
請求項４の発明によれば、変換関係を使用することで画像形成装置で色補正を行なう前の画像を再現することができる。
請求項５の発明によれば、記録媒体の特性も含めて出力対象の違いによる画像の見えの違いや色補正の効果等をわかりやすくユーザに対し提示することができる。
請求項６の発明によれば、照明環境の影響も含めて出力対象の違いによる画像の見えの違いや色補正の効果等をわかりやすくユーザに対し提示することができる。
請求項７の発明によれば、変換関係を使用することで照明環境の色補正を行なう前の画像を再現することができる。
請求項８の発明によれば、出力対象の違いによる画像の見えの違いや色補正の効果等をより視覚的に捉えることができる。
請求項９の発明によれば、表示装置や画像形成装置等の複数の出力対象に対し画像が出力された場合に、出力対象の違いによる画像の見えの違いや色補正の効果等をわかりやすくユーザに対し提示することができる表示装置を提供することができる。
請求項１０の発明によれば、複数の出力対象のそれぞれについて並んだ画像を見比べることができる。
請求項１１の発明によれば、複数の出力対象のそれぞれについての画像を切り換えて見比べることができる。
請求項１２の発明によれば、ユーザが色補正の程度を把握することができる。
請求項１３の発明によれば、表示装置や画像形成装置等の複数の出力対象に対し画像が出力された場合に、出力対象の違いによる画像の見えの違いや色補正の効果等をわかりやすくユーザに対し提示することができる画像処理方法を提供することができる。
請求項１４の発明によれば、出力対象の違いによる画像の見えの違いや色補正の効果等をわかりやすくユーザに対し提示することができる画像処理システムを提供することができる。
請求項１５の発明によれば、出力対象の違いによる画像の見えの違いや色補正の効果等をわかりやすくユーザに対し提示することができる機能をコンピュータにより実現できる。
【図面の簡単な説明】
【０００８】
【図１】本実施の形態が適用される画像処理システムの構成の一例を示した図である。
【図２】コンピュータ装置のハードウェア構成を示した図である。
【図３】表示装置のハードウェア構成を示す図である。
【図４】画像形成装置のハードウェア構成例を示した図である。
【図５】本実施の形態のコンピュータ装置の機能構成例を示したブロック図である。
【図６】表示装置の表示画面に表示される画像の第１の例を示している。
【図７】表示装置の表示画面に表示される画像の第２の例を示している。
【図８】画像処理システムの動作について説明したフローチャートである。
【図９】選択情報の組み合わせの例を示した図である。
【図１０−１】（ａ）〜（ｂ）は、図９のＮｏ．１〜Ｎｏ．２のそれぞれの場合に対して画像データを作成する方法について説明したフローチャートである。
【図１０−２】（ｃ）〜（ｅ）は、図９のＮｏ．３〜Ｎｏ．５のそれぞれの場合に対して画像データを作成する方法について説明したフローチャートである。
【発明を実施するための形態】
【０００９】
以下、添付図面を参照して、本発明の実施の形態について詳細に説明する。
【００１０】
＜画像処理システム全体の説明＞
図１は、本実施の形態が適用される画像処理システム１の構成の一例を示した図である。
この画像処理システム１は、画像データ（画像情報）の作成等を行うコンピュータ装置１０と、この画像データを基に画像を表示する表示装置２０と、この画像データを基に記録媒体Ｐに画像を形成する画像形成装置３０とを備える。
【００１１】
この画像処理システム１において、コンピュータ装置１０および表示装置２０は、例えば、ＤＶＩ（Digital Visual Interface）を介して接続されている。なお、ＤＶＩに代えて、ＨＤＭＩ（High-Definition Multimedia Interface：登録商標）やDisplayPortを介して接続するようにしてもかまわない。またコンピュータ装置１０と画像形成装置３０とは、例えば、ＬＡＮ（Local Area Network）により接続されている。
【００１２】
コンピュータ装置１０は、画像処理装置の一例であり、所謂汎用のパーソナルコンピュータ（ＰＣ）である。そして、コンピュータ装置１０は、ＯＳ（Operating System）の管理下において、各種アプリケーションソフトウェアを動作させることで、画像データの作成等を行うようになっている。
なおコンピュータ装置１０は、入力装置として、例えば、図示しないキーボード装置やマウス装置等を備えることができる。
【００１３】
図２は、コンピュータ装置１０のハードウェア構成を示した図である。
コンピュータ装置１０は、上述したようにパーソナルコンピュータ等により実現される。そして図示するように、コンピュータ装置１０は、演算手段であるＣＰＵ（Central Processing Unit）１１と、記憶手段であるメインメモリ１２およびＨＤＤ（Hard Disk Drive）１３とを備える。ここで、ＣＰＵ１１は、ＯＳ（Operating System）やアプリケーションソフトウェア等の各種プログラムを実行する。また、メインメモリ１２は、各種プログラムやその実行に用いるデータ等を記憶する記憶領域であり、ＨＤＤ１３は、各種プログラムに対する入力データや各種プログラムからの出力データ等を記憶する記憶領域である。さらに、コンピュータ装置１０は、表示装置２０や画像形成装置３０を含む外部との通信を行うための通信インタフェース（以下、「通信Ｉ／Ｆ」と表記する）１４を備えている。
【００１４】
表示装置２０は、コンピュータ装置１０により作成された画像データに基づき、画像を表示する。表示装置２０は、例えばＰＣ用の液晶ディスプレイ、液晶テレビあるいはプロジェクタなど、加法混色にて画像を表示する機能を備えたもので構成される。したがって、表示装置２０における表示方式は、液晶方式に限定されるものではない。ここで、本実施の形態では、表示装置２０が、赤（Ｒ）、緑（Ｇ）および青（Ｂ）の３色を用いて画像の表示を行っているものとする。なお、図１は、表示装置２０としてＰＣ用の液晶ディスプレイを用いた場合を例示していることから、表示装置２０内に表示画面２０ａが設けられているが、表示装置２０として例えばプロジェクタを用いる場合、表示画面２０ａは、表示装置２０の外部に設けられたスクリーン等となる。
【００１５】
図３は、表示装置２０のハードウェア構成を示す図である。
表示装置２０は、制御部２１と、表示部２２と、入力部２３と、インタフェース部２４とを備える。そしてこれらがバスＢを介して必要なデータのやりとりを行なう。
【００１６】
制御部２１は、ＣＰＵ、ＲＡＭ（Random Access Memory）、ＲＯＭ（Read Only Memory）等から構成され、表示装置２０で表示される画像を制御する。
表示部２２は、表示画面２０ａを有し、画像を表示する機能を有する液晶パネル、有機ＥＬパネル、ブラウン管などである。
ユーザが表示装置２０に対し、画像の調整など各種指示を入力するために設けられる。入力部２３は、例えば、メニューボタン、十字キー等である。
インタフェース部２４は、コンピュータ装置１０と接続するために設けられ、例えば、上述したＤＶＩ等である。インタフェース部２４は、画像データ取得部の一例であり、コンピュータ装置１０により作成され、表示画面２０ａで表示する画像の画像データを取得する。
【００１７】
画像形成装置３０は、画像データを基に紙等の記録媒体Ｐに画像を形成し、印刷媒体として出力する装置である。画像形成装置３０は、プリンタ機能を備えるが、これに加えて例えば、スキャナ機能、ファクシミリ機能等の他の画像処理機能を備えていてもよい。
【００１８】
図４は、画像形成装置３０のハードウェア構成例を示した図である。
図示するように、画像形成装置３０は、ＣＰＵ３１と、ＲＡＭ３２と、ＲＯＭ３３と、ＨＤＤ３４と、操作パネル３５と、画像読み取り部３６と、画像形成部３７と、通信Ｉ／Ｆ３８とを備える。そしてこれらがバスＢを介して必要なデータのやりとりを行なう。
【００１９】
ＣＰＵ３１は、ＲＯＭ３３等に記憶された各種プログラムをＲＡＭ３２にロードして実行することにより、後述する各機能を実現する。
【００２０】
ＲＡＭ３２は、ＣＰＵ３１の作業用メモリ等として用いられるメモリである。
ＲＯＭ３３は、ＣＰＵ３１が実行する各種プログラム等を記憶するメモリである。
ＨＤＤ３４は、画像読み取り部３６が読み取った画像データや画像形成部３７における画像形成にて用いる画像データ等を記憶する例えば磁気ディスク装置である。
操作パネル３５は、各種情報の表示やユーザからの操作入力の受付を行なう例えばタッチパネルである。
【００２１】
画像読み取り部３６は、原稿に記録された画像を読み取る。ここで、画像読み取り部３６は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００２２】
画像形成部３７は、記録媒体Ｐに画像を形成する印刷機構の一例である。ここで、画像形成部３７は、例えばプリンタであり、感光体に付着させたトナーを用紙等の記録媒体Ｐに転写して像を形成する電子写真方式や、インクを記録媒体Ｐ上に吐出して像を形成するインクジェット方式のものを用いるとよい。
通信Ｉ／Ｆ３８は、ネットワークを介して他の装置との間で各種情報の送受信を行なう。
【００２３】
この画像処理システム１は、例えば、以下のように動作する。
画像処理システム１では、コンピュータ装置１０において、表示装置２０の表示画面２０ａで表示される画像や画像形成装置３０により記録媒体Ｐに形成される画像の色補正を行なう。そしてこれにより表示画面２０ａで表示される画像と、記録媒体Ｐに形成される画像との色味が合うようになっている。その結果、画像形成装置３０により印刷される印刷物の色味を、表示装置２０に表示される画像の色味に合わせ（カラーマッチング）、見えの違いを抑制することができる。この色補正は変換関係を用いて行なう。この変換関係は、プロファイルとも呼ばれ、例えば、多次元ＬＵＴ（Look up Table）として作成することができる。ただしこれに限られるものではない。例えば、プロファイルは、１次元ＬＵＴであってもよい。またプロファイルは、多次元マトリクスであってもよい。
【００２４】
また本実施の形態の画像処理システム１では、表示装置２０の表示画面２０ａで表示される画像、および画像形成装置３０で記録媒体Ｐに形成される画像について、色補正前の状態と色補正後の状態とをそれぞれ表示できるようになっている。これにより表示画面２０ａや記録媒体Ｐ等の出力対象の違いによる画像の見えの違いや色補正の効果などをユーザが確認することができる。また記録媒体Ｐに印刷された画像は、照明環境の影響を受けやすい問題もある。例えば、照明の色温度などの影響を受け、照明の色温度が低い場合には、記録媒体Ｐに印刷された画像が赤味を帯びて見える。そのため照明環境についても色補正前の状態と色補正後の状態とをそれぞれ表示できるようになっている。これに照明環境の違いによる画像の見えの違いをユーザが確認することができる。
この処理は、コンピュータ装置１０にて行なわれる。以下、これを実現するコンピュータ装置１０について、説明を行なう。
【００２５】
＜コンピュータ装置１０の説明＞
図５は、本実施の形態のコンピュータ装置１０の機能構成例を示したブロック図である。
図示するコンピュータ装置１０は、変換関係取得部１１０と、選択情報取得部１２０と、画像データ作成部１３０と、画像データ送信部１４０とを備える。
【００２６】
変換関係取得部１１０は、画像を出力する複数の出力対象のそれぞれに対し、色補正を行なうための変換関係（プロファイル）を取得する。本実施の形態では、複数の出力対象は、表示装置２０および画像形成装置３０である。
また本実施の形態では、変換関係取得部１１０は、照明環境について色補正をするための変換関係（プロファイル）をさらに取得する。この照明環境は、記録媒体Ｐを見る箇所における照明環境であり、例えば、照明の色温度である。この場合、プロファイルは標準光源の色温度（５０００Ｋ）を有する照明下で記録媒体Ｐを見たときの状態に補正するものとなる。また照明環境は、照明の照度である。
これらのプロファイルは、予め用意されたものを、例えは、ユーザがコンピュータ装置１０に入力する。またプロファイルを複数種類用意しておき、この中から選択を行なうことで取得してもよい。
【００２７】
選択情報取得部１２０は、複数の出力対象のそれぞれに対し、変換関係（プロファイル）を用いた色補正を行なうか否かの選択情報を取得する。ここでは選択情報取得部１２０は、表示装置２０に対し色補正を行なうか否か、また画像形成装置３０に対し色補正を行なうか否かの選択結果の情報を取得する。なお本実施の形態では、選択情報取得部１２０は、照明環境について色補正を行なうか否かの選択情報をさらに取得する。
本実施の形態では、表示装置２０および画像形成装置３０のそれぞれに対し、色補正を行なうか否かがユーザにより決定される。ユーザは、コンピュータ装置１０に備えられたキーボード装置やマウス装置等によりその選択結果を入力する。そして選択情報取得部１２０は、この選択結果の情報として選択情報を取得する。
【００２８】
画像データ作成部１３０は、複数の出力対象のそれぞれに対し、取得した選択情報に基づき色補正を行なう前または後の画像を表す画像データを作成する。このとき画像データ作成部１３０は、変換関係取得部１１０で取得したプロファイルを使用して画像データを作成する。本実施の形態では、表示装置２０および画像形成装置３０のそれぞれに対し、また照明環境について、選択情報に基づいた色補正を行なう前または後の画像を表す画像データを作成する。
【００２９】
画像データ送信部１４０は、画像データ作成部１３０が作成した画像データを表示装置２０に送信する。
【００３０】
＜表示装置２０の説明＞
表示装置２０では、インタフェース部２４において画像データ送信部１４０が送信した画像データを取得する。
なおこの場合、インタフェース部２４は、画像を出力する複数の出力対象のそれぞれに対し色補正を行なうか否かの選択情報に基づき、色補正を行なう前または後の画像を表す画像データを取得する、と言うこともできる。
【００３１】
また表示装置２０では、表示部２２において、取得した画像データに基づき、複数の出力対象のそれぞれについて、色補正を行なう前または後の画像を表示する。
【００３２】
図６は、このとき表示装置２０の表示画面２０ａに表示される画像の第１の例を示している。
図示するように表示画面２０ａには、表示装置２０（Displayとして図示）に対し色補正を行なう前または後の画像である画像Ｇ１と、画像形成装置３０（Printとして図示）に対し色補正を行なう前または後の画像である画像Ｇ２と、色補正を行なうか否かの選択情報を入力するためのアイコンＧ３と、色補正の程度を表すレベル画像Ｇ４とが表示されている。
【００３３】
図６では、表示装置２０および画像形成装置３０のそれぞれについて、色補正を行なう前または後の画像を画像Ｇ１および画像Ｇ２として並べて表示する。
またアイコンＧ３として、表示装置２０に対し色補正を行なうか否かを選択する「Display補正」のアイコンと、画像形成装置３０に対し色補正を行なうか否かを選択する「Printer Simulation」のアイコンと、照明環境について色補正を行なうか否かを選択する「Lighting Simulation」のアイコンとを表示する。
【００３４】
この画面において、ユーザは、アイコンＧ３をマウス装置等を使用してクリック等の操作を行なうことで、表示装置２０、画像形成装置３０および照明環境に対し色補正を行なうか否か（ＯＮ／ＯＦＦ）を選択することができる。
【００３５】
そしてこの選択結果に応じ、コンピュータ装置１０が、画像Ｇ１および画像Ｇ２を表示するための画像データを作成し、表示装置２０に送信する。表示装置２０では、この画像データに基づき表示画面２０ａに画像Ｇ１および画像Ｇ２を表示する。
なおレベル画像Ｇ４は、色補正の程度を示す画像であり、色補正が行われない状態では、例えば、Ｌｅｖｅｌ１となり、色補正の程度がより大きいほどこのＬｅｖｅｌの数値が増加する。そして色補正が最大の場合では、例えば、Ｌｅｖｅｌ５となる。即ち、５段階にて色補正の程度を表示する。色補正の程度は、選択情報に基づき決定することができる。
【００３６】
これによりユーザは、アイコンＧ３をマウス装置でクリック等することで、表示装置２０、画像形成装置３０、照明環境のそれぞれについて色補正を行なうか否かを選択し、それぞれについての色補正の効果を確認することができる。
【００３７】
図７は、表示装置２０の表示画面２０ａに表示される画像の第２の例を示している。
図示するように表示画面２０ａには、図６に比較して、表示装置２０（Displayとして図示）に対し色補正を行なう前または後の画像である画像Ｇ１が表示されるが、画像形成装置３０（Printとして図示）に対し色補正を行なう前または後の画像である画像Ｇ２が表示されない。またアイコンＧ３から選択された色補正によって色補正前後の変化が色空間上でどのように変化するかを色空間画像Ｇ５として表示する。色空間上にプロットされる色は、例えば、色変換前後の様子がわかる予め用意されたモデルのデータであってもよいし、実際に入力される画像データの色であってもよい。また、色変換前後の様子がわかるように、例えば、色変換前後のプロットの色を変えてもよいし、色変換前後の表示を色変換前後で時間をずらして表示してもよい。この色空間は、例えば、Ｌ＊ａ＊ｂ＊色空間、ＲＧＢ空間、ＣＭＹＫ空間等が挙げられる。
なおここでは、画像Ｇ１を表示する場合を示したが、画像Ｇ１から画像Ｇ２に切り換えて表示することもできる。つまり図７では、表示装置２０および画像形成装置３０のそれぞれについて、色補正を行なう前または後の画像を切り換えて表示する。
【００３８】
これによりユーザは、画像Ｇ１や画像Ｇ２により色補正の効果を確認することができるとともに、色空間画像Ｇ５により色補正を行なう前と後とで画像データがどのように変化するかを確認することができる。
【００３９】
＜画像処理システム１の動作の説明＞
図８は、画像処理システム１の動作について説明したフローチャートである。
まず変換関係取得部１１０が、表示装置２０、画像形成装置３０および照明環境に対し色補正を行なうプロファイルを取得する（ステップ１１）。
【００４０】
次に選択情報取得部１２０が、表示装置２０、画像形成装置３０および照明環境について色補正を行なうか否かの選択情報を取得する（ステップ１２）。
【００４１】
そして画像データ作成部１３０が、表示装置２０および画像形成装置３０のそれぞれに対し、また照明環境について、選択情報に基づいた色補正を行なう前または後の画像を表す画像データを作成する（ステップ１３）。このとき画像データ作成部１３０は、元となる原画像データに、変換関係取得部１１０で取得したプロファイルを適用して色補正を行なう前または後の画像を表す画像データを作成する。この原画像データは、予め用意しておいたものを使用する。
【００４２】
次に画像データ送信部１４０が、画像データ作成部１３０が作成した画像データを表示装置２０に送信する（ステップ１４）。
【００４３】
一方、表示装置２０では、インタフェース部２４が、画像データ送信部１４０が送信した画像データを取得する（ステップ１５）。
【００４４】
そして表示部２２が、取得した画像データに基づき、表示装置２０および画像形成装置３０のそれぞれについて、色補正を行なう前または後の画像を表示する（ステップ１６）。
【００４５】
図９は、選択情報の組み合わせの例を示した図である。
図示する例は、Ｎｏ．１〜Ｎｏ．５の５つに分け、表示装置２０、画像形成装置３０、照明環境のそれぞれについて色補正を行なうか否かを選択した場合を示している。ここで「ＯＮ」は、色補正を行なうことを示し、「ＯＦＦ」は、色補正を行なわないことを示している。またＬｅｖｅｌは、表示装置２０、画像形成装置３０、照明環境の色補正の選択の設定により、補正の程度を表したものであり、色補正の程度をＬｅｖｅｌ１〜Ｌｅｖｅｌ５の５段階で示している。このうちＮｏ．１は、表示装置２０、画像形成装置３０、照明環境の全てに対し色補正を行なう場合であり、色補正の程度は、最大のＬｅｖｅｌ５となっている。一方、Ｎｏ．５は、表示装置２０、画像形成装置３０、照明環境の全てに対し色補正を行なわない場合であり、色補正の程度は、最小のＬｅｖｅｌ１となっている。またＮｏ．２〜Ｎｏ．４は、表示装置２０、画像形成装置３０、照明環境の何れか１つまたは２つの色補正を行なう場合であり、色補正の程度は、Ｌｅｖｅｌ２〜Ｌｅｖｅｌ４となっている。
【００４６】
この場合、例えば、Ｎｏ．１とＮｏ．２とを比較することで、照明環境についての色補正を行なう場合（Ｎｏ．１）と行なわない場合（Ｎｏ．２）との差異を見ることができる。
また例えば、Ｎｏ．２とＮｏ．３とを比較することで、画像形成装置３０に対する色補正を行なう場合（Ｎｏ．２）と行なわない場合（Ｎｏ．３）との差異を見ることができる。
さらに例えば、Ｎｏ．１とＮｏ．４とを比較することで、表示装置２０に対する色補正を行なう場合（Ｎｏ．１）と行なわない場合（Ｎｏ．４）との差異を見ることができる。
【００４７】
図１０−１（ａ）〜（ｂ）は、図９のＮｏ．１〜Ｎｏ．２のそれぞれの場合に対して画像データを作成する方法について説明したフローチャートである。また図１０−２（ｃ）〜（ｅ）は、図９のＮｏ．３〜Ｎｏ．５のそれぞれの場合に対して画像データを作成する方法について説明したフローチャートである。なおこれは、図８のステップ１３をより詳細に説明したものであると捉えることができる。
【００４８】
なお本実施の形態では、表示装置２０に対し色補正を行なう場合、色補正を行なう前の画像Ｇ１を表す画像データは、表示装置２０に対し使用される変換関係（プロファイル）を適用しないものであり、色補正を行なった後の画像Ｇ１を表す画像データは、表示装置２０に対し使用される変換関係（プロファイル）を適用したものである。
図９では、表示装置２０に対し、色補正を行なうＯＮの場合に、画像Ｇ１に対しプロファイルを適用し、色補正を行なわないＯＦＦの場合に、画像Ｇ１に対しプロファイルを適用しないことになる。
【００４９】
一方、本実施の形態では、画像形成装置３０に対し色補正を行なう場合、色補正を行なう前の画像Ｇ２を表す画像データは、画像形成装置３０に対し使用される変換関係（プロファイル）を適用したものであり、色補正を行なった後の画像Ｇ２を表す画像データは、画像形成装置３０に対し使用される変換関係（プロファイル）を適用しないものである。つまり照明環境の影響を考えなければ、画像Ｇ１の画像データは、画像形成装置３０に対し色補正を行なった後の画像データと同じものであり、これを画像Ｇ２の画像データとして使用すれば、画像形成装置３０に対し色補正を行なった後の画像Ｇ２を表示することになる。即ち、色補正を行なった後の画像Ｇ２を表す画像データは、画像形成装置３０に対し使用されるプロファイルを適用しないものである。逆に色補正を行なう前の画像Ｇ２を表示させようとする場合、画像形成装置３０に対し使用されるプロファイルを適用し、色ずれの状態を再現する必要がある。
図９では、画像形成装置３０に対し、色補正を行なうＯＮの場合に、画像Ｇ２に対しプロファイルを適用せず、色補正を行なわないＯＦＦの場合に、画像Ｇ２に対しプロファイルを適用することになる。
【００５０】
同様に本実施の形態では、照明環境について色補正を行なう場合、照明環境の色補正を行なう前の画像を表す画像データは、照明環境に対し使用される変換関係（プロファイル）を適用したものであり、照明環境の色補正を行なった後の画像を表す画像データは、照明環境に対し使用される変換関係（プロファイル）を適用しないものである。つまり画像形成装置３０に対する色補正の影響を考えなければ、画像Ｇ１の画像データは、照明環境についての色補正を行なった後の画像データと同じものであり、これを画像Ｇ２の画像データとして使用すれば、照明環境についての色補正を行なった後の画像Ｇ２を表示することになる。即ち、色補正を行なった後の画像Ｇ２を表す画像データは、照明環境に対し使用されるプロファイルを適用しないものである。逆に色補正を行なう前の画像Ｇ２を表示させようとする場合、照明環境に対し使用されるプロファイルを適用し、色ずれの状態を再現する必要がある。
図９では、照明環境に対し、色補正を行なうＯＮの場合に、画像Ｇ２に対しプロファイルを適用せず、色補正を行なわないＯＦＦの場合に、画像Ｇ２に対しプロファイルを適用することになる。
【００５１】
図１０−１（ａ）は、図９のＮｏ．１の場合について画像データを作成する方法について説明をしている。図９に示すようにＮｏ．１では、表示装置２０、画像形成装置３０、照明環境の全てに対し色補正を行なう。
【００５２】
まず画像データ作成部１３０は、表示装置２０に対し使用されるプロファイルを取得する（ステップ１０１）。
そして画像データ作成部１３０は、原画像データに表示装置２０に対し使用されるプロファイルを適用し、画像Ｇ１の画像データを作成する（ステップ１０２）。
さらに画像データ作成部１３０は、原画像データに表示装置２０に対し使用されるプロファイルを適用し、画像Ｇ２の画像データを作成する（ステップ１０３）。
【００５３】
つまり画像Ｇ１および画像Ｇ２の画像データは双方同じものとなる。その結果、表示装置２０、画像形成装置３０、照明環境の全てに対し色補正を行なうと、画像Ｇ１および画像Ｇ２は同じものが表示される。
【００５４】
図１０−１（ｂ）は、図９のＮｏ．２の場合について画像データを作成する方法について説明をしている。図９に示すようにＮｏ．２では、表示装置２０、画像形成装置３０に対し色補正を行ない、照明環境については色補正を行なわない。
【００５５】
まず画像データ作成部１３０は、照明環境の色温度が標準光源の色温度と同じであるか否かを判断する（ステップ２０１）。
そして色温度が異なる場合（ステップ２０１でＮｏ）、画像データ作成部１３０は、照明環境に対し使用されるプロファイルを取得する（ステップ２０２）。
次に画像データ作成部１３０は、原画像データに照明環境に対し使用されるプロファイルを適用する（ステップ２０３）。
さらに画像データ作成部１３０は、表示装置２０に対し使用されるプロファイルを取得する（ステップ２０４）。
そして画像データ作成部１３０は、原画像データに表示装置２０に対し使用されるプロァイルを適用し、画像Ｇ１の画像データを作成する（ステップ２０５）。
さらに画像データ作成部１３０は、ステップ２０３で作成した画像データにさらに表示装置２０に対し使用されるプロファイルを適用し、画像Ｇ２の画像データを作成する（ステップ２０６）。
【００５６】
なおステップ２０１で色温度が同じ場合（ステップ２０１でＹｅｓ）、画像データ作成部１３０は、表示装置２０に対し使用されるプロファイルを取得する（ステップ２０７）。
そして画像データ作成部１３０は、原画像データに表示装置２０に対し使用されるプロァイルを適用し、画像Ｇ１の画像データを作成する（ステップ２０８）。
さらに画像データ作成部１３０は、表示装置２０に対し使用されるプロファイルを適用し、画像Ｇ２の画像データを作成する（ステップ２０９）。
この場合、画像Ｇ１および画像Ｇ２の画像データは双方同じ再現となる。即ち、図１０−１（ａ）の場合と同様となる。
【００５７】
つまり画像Ｇ２は、照明環境についての色補正を行なわない状態における記録媒体Ｐの画像が再現される。対して表示装置２０のついての画像Ｇ２は、照明環境の影響は考慮されない。これは記録媒体Ｐは、照明の光を反射して見えるものであり、照明環境の影響を受けるのに対し、表示装置２０は自己発光するため、照明環境の影響を受けにくいからである。
この場合、画像Ｇ１と画像Ｇ２は、表示装置２０と記録媒体Ｐがともに置かれる照明の下で、それぞれを見たときの画像を再現するものとなる。
【００５８】
図１０−２（ｃ）は、図９のＮｏ．３の場合について画像データを作成する方法について説明をしている。図９に示すようにＮｏ．３では、表示装置２０に対し色補正を行ない、画像形成装置３０および照明環境については色補正を行なわない。
【００５９】
まず画像データ作成部１３０は、表示装置２０に対し使用されるプロファイルおよび画像形成装置３０に対し使用されるプロファイルを取得する（ステップ３０１）。
次に画像データ作成部１３０は、原画像データに対し画像形成装置３０に対し使用されるプロファイルを適用する（ステップ３０２）。
そして画像データ作成部１３０は、原画像データに表示装置２０に対し使用されるプロァイルを適用し、画像Ｇ１の画像データを作成する（ステップ３０３）。
さらに画像データ作成部１３０は、ステップ３０２で作成した画像データにさらに表示装置２０に対し使用されるプロファイルを適用し、画像Ｇ２の画像データを作成する（ステップ３０４）。
【００６０】
つまり画像Ｇ２は、画像形成装置３０に対し色補正を行なわない状態で出力した記録媒体Ｐの画像が再現される。
この場合、画像Ｇ１および画像Ｇ２は、表示装置２０と記録媒体Ｐがともに置かれる照明の下で、表示装置２０に対しては色補正を行なうが、画像形成装置３０に対しては色補正を行なわないときの画像をそれぞれ再現するものとなる。
【００６１】
図１０−２（ｄ）は、図９のＮｏ．４の場合について画像データを作成する方法について説明をしている。図９に示すようにＮｏ．４では、表示装置２０に対し色補正を行なわず、画像形成装置３０および照明環境については色補正を行なう。
この場合、画像データ作成部１３０は、プロファイルを適用せず、原画像の画像データをそのまま画像Ｇ１および画像Ｇ２の画像データとする（ステップ４０１）。
つまり画像Ｇ１および画像Ｇ２の画像データは双方同じものとなる。その結果、画像Ｇ１および画像Ｇ２は同じものが表示される。
【００６２】
図１０−２（ｅ）は、図９のＮｏ．５の場合について画像データを作成する方法について説明をしている。図９に示すようにＮｏ．５では、表示装置２０、画像形成装置３０、照明環境の全てに対し色補正を行なわない。
【００６３】
まず画像データ作成部１３０は、画像形成装置３０に対し使用されるプロファイルを取得する（ステップ５０１）。
次に画像データ作成部１３０は、原画像データに対し画像形成装置３０に対し使用されるプロファイルを適用し、これを画像Ｇ２の画像データとする（ステップ５０２）。なお画像Ｇ１の画像データは、原画像データと同じものとなる。
【００６４】
以上説明した画像処理システム１によれば、表示装置２０、画像形成装置３０、照明環境について色補正を行なう場合と行なわない場合とで、その効果を容易に確認することができる。表示装置２０や画像形成装置３０の違いによる画像の見えの違いや色補正の効果等をわかりやすくユーザに対し提示することができる。
また画像形成装置３０で印刷を行なわなくても印刷結果を確認することができ、記録媒体Ｐの使用量を低減することができる。
さらに画像形成装置３０が、離れた場所にあっても、画像の出力結果を容易に確認することができ、印刷物を作成して送付する等の必要性が低減する。
【００６５】
なお以上説明した画像処理方法は、画像を出力する複数の出力対象のそれぞれに対し、色補正を行なうための変換関係（プロファイル）を取得する変換関係取得工程と、複数の出力対象のそれぞれに対し、変換関係（プロファイル）を用いた色補正を行なうか否かの選択情報を取得する選択情報取得工程と、複数の出力対象のそれぞれに対し、取得した選択情報に基づき、色補正を行なう前または後の画像を表す画像データを表示装置に送信する画像データ送信工程と、を備える画像処理方法として捉えることもできる。
【００６６】
また以上説明した例では、プロファイルが適用される表示装置と図６、７で示した画像Ｇ１、Ｇ２を表示する表示装置は、同じ表示装置２０であったが、異なる表示装置であってもよい。
さらに以上説明した例では、表示装置２０、画像形成装置３０、照明環境について色補正を行なう場合について説明したが、これに画像形成装置３０で使用する記録媒体Ｐの特性をさらに含めて色補正を行なってもよい。この場合は、表示装置２０の色温度を調整することで色補正を行なうことができる。例えば、黄色を帯びた記録媒体Ｐの場合、表示装置２０の色温度をより低くする。一方、青色を帯びた記録媒体Ｐの場合、表示装置２０の色温度をより高くする。
また上述した例では、図６、７で示した画像Ｇ１、Ｇ２は、色補正を行なう前または後の画像であったが、表示する画像はこれに限られるものではない。例えば、コンピュータ装置１０で色補正を行なう前または後の画像を表す画像データの他に、色補正を行なう前および後の中間の画像を表す画像データを作成する。そしてこれを表示装置２０に送信することで、色補正を行なう前および後の中間の画像を表示装置２０で表示してもよい。
また以上説明した例では、表示装置２０、画像形成装置３０、照明環境に対しコンピュータ装置１０が色補正を行なういわゆるソフトウェア補正について適用する場合を説明したが、色補正装置等を使用したいわゆるハードウェア補正に対し適用することもできる。
【００６７】
＜プログラムの説明＞
ここで以上説明を行った本実施の形態におけるコンピュータ装置１０が行なう処理は、例えば、アプリケーションソフトウェア等のプログラムとして用意される。
【００６８】
よって本実施の形態でコンピュータ装置１０が行なう処理は、コンピュータに、画像を出力する複数の出力対象のそれぞれに対し、色補正を行なうための変換関係（プロファイル）を取得する変換関係取得機能と、複数の出力対象のそれぞれに対し、変換関係（プロファイル）を用いた色補正を行なうか否かの選択情報を取得する選択情報取得機能と、複数の出力対象のそれぞれに対し、取得した選択情報に基づき、色補正を行なう前または後の画像を表す画像データを表示装置に送信する画像データ送信機能と、を実現させるためのプログラムとして捉えることができる。
【００６９】
なお、本実施の形態を実現するプログラムは、通信手段により提供することはもちろん、ＣＤ−ＲＯＭ等の記録媒体に格納して提供することも可能である。
【００７０】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００７１】
１…画像処理システム、１０…コンピュータ装置、２０…表示装置、２０ａ…表示画面、２１…制御部、２２…表示部、２３…入力部、２４…インタフェース部、３０…画像形成装置、１１０…変換関係取得部、１２０…選択情報取得部、１３０…画像データ作成部、１４０…画像データ送信部、Ｐ…記録媒体
【図１】
2018074339.tif 000003
【図２】
2018074339.tif 000004
【図３】
2018074339.tif 000005
【図４】
2018074339.tif 000006
【図５】
2018074339.tif 000007
【図６】
2018074339.tif 000008
【図７】
2018074339.tif 000009
【図８】
2018074339.tif 000010
【図９】
2018074339.tif 000011
【図１０−１】
2018074339.tif 000012
【図１０−２】
2018074339.tif 000013